(57)【要約】【課題】  特別な装置等を用いることなくマルチディスプレイシステムのリモート調整を容易に可能とし、無線入力手段等からの信号を複数のディスプレイが受信して意図しない複数回の入力が発生することのない表示システムを提供する。【解決手段】  マルチディスプレイシステムにおいて無線手段からの入力信号を複数のディスプレイが受信したときに、同一の入力かどうかを判断する処理をおこなう。【選択図】  図２
2006171092.tif 000002
【特許請求の範囲】
【請求項１】
主表示装置と、１台以上の副表示装置と、前記主表示装置および前記副表示装置に対して無線信号により操作コマンドを発信する操作手段とからなる表示システムにおいて、
前記副表示装置は前記操作手段から前記操作コマンドを受信したとき、前記主表示装置に対して、受信したコマンドコードを含む受信通知コマンドを送信し、
前記主表示装置は、前記受信通知コマンドを受信した時点、または前記操作手段からの前記操作コマンドを受信した時点から一定時間の間に前記コマンドコードが同一の受信通知コマンドを受信した場合に、前記コマンドコードを受信した前記主表示装置または前記副表示装置のうちいずれか１台を前記操作コマンド有効に決定し、
前記主表示装置を操作コマンド有効とした場合は前記主表示装置は前記操作コマンドに応じた処理を実行し前記受信通知コマンドを送信した前記副表示装置に対して操作無効コマンドを送信し、前記副表示装置を操作コマンド有効とした場合は前記主表示装置は前記操作コマンド有効とされた前記副表示装置に対して操作有効コマンドを送信し前記操作コマンド有効とされた前記副表示装置以外の前記副表示装置に対して操作無効コマンドを送信し、
前記操作有効コマンドを受信した前記副表示は前記操作コマンドに応じた処理を実行することを特徴とする表示システム。
【請求項２】
制御装置と、主表示装置と、１台以上の副表示装置と、前記主表示装置および前記副表示装置に対して無線信号により操作コマンドを発信する操作手段とからなる表示システムにおいて、
前記副表示装置は前記操作手段から前記操作コマンドを受信したとき、前記主表示装置に対して、受信したコマンドコードを含む受信通知コマンドを送信し、
前記主表示装置は、前記受信通知コマンドを受信した時点、または前記操作手段からの前記操作コマンドを受信した時点から一定時間の間に前記コマンドコードが同一の受信通知コマンドを受信した場合に前記受信通知コマンドを無効とし、前記一定時間が経過したとき前記制御装置に対して前記コマンドコードを送信することを特徴とする表示システム。
【請求項３】
主表示装置と、１台以上の副表示装置と、前記主表示装置および前記副表示装置に対して無線信号により操作コマンドを発信する操作手段とからなる表示システムにおける表示制御方法であって、
前記副表示装置は前記操作手段から前記操作コマンドを受信したとき、前記主表示装置に対して、受信したコマンドコードを含む受信通知コマンドを送信するステップと、
前記主表示装置は、前記受信通知コマンドを受信した時点、または前記操作手段からの前記操作コマンドを受信した時点から一定時間の間に前記コマンドコードが同一の受信通知コマンドを受信した場合に、前記コマンドコードを受信した前記主表示装置または前記副表示装置のうちいずれか１台を前記操作コマンド有効に決定するステップと、
前記主表示装置を操作コマンド有効とした場合は前記主表示装置は前記操作コマンドに応じた処理を実行するステップと、
前記受信通知コマンドを送信した前記副表示装置に対して操作無効コマンドを送信するステップと、
前記副表示装置を操作コマンド有効とした場合は前記主表示装置は前記操作コマンド有効とされた前記副表示装置に対して操作有効コマンドを送信するステップと、
前記操作コマンド有効とされた前記副表示装置以外の前記副表示装置に対して操作無効コマンドを送信するステップと、
前記操作有効コマンドを受信した前記副表示は前記操作コマンドに応じた処理を実行するステップを備えることを特徴とする表示制御方法。
【請求項４】
制御装置と、主表示装置と、１台以上の副表示装置と、前記主表示装置および前記副表示装置に対して無線信号により操作コマンドを発信する操作手段とからなる表示システムにおける表示制御方法であって、
前記副表示装置は前記操作手段から前記操作コマンドを受信したとき、前記主表示装置に対して、受信したコマンドコードを含む受信通知コマンドを送信するステップと、
前記主表示装置は、前記受信通知コマンドを受信した時点、または前記操作手段からの前記操作コマンドを受信した時点から一定時間の間に前記コマンドコードが同一の受信通知コマンドを受信した場合に前記受信通知コマンドを無効とするステップと、
前記一定時間が経過したとき前記制御装置に対して前記コマンドコードを送信するステップを備えることを特徴とする表示制御方法。
【発明の詳細な説明】
【技術分野】
【０００１】
本発明は、マルチディスプレイシステムおよびマルチディスプレイシステムを制御するための表示制御装置、表示制御方法に関する。
【背景技術】
【０００２】
従来ディスプレイの表示画像のコントラスト、明るさ、色温度等々の画質調整、表示位置の調整、出力音量の調整などは、一般的にディスプレイ本体に備えられた操作ボタンあるいは付属するリモートコントローラーなどによっておこなわれている。
【０００３】
また近年では、プラズマディスプレイや液晶ディスプレイに代表されるようにディスプレイの大型化が進んでおり、さらにこれらのディスプレイを複数並べてさらに大画面化したマルチディスプレイシステムが実現されている。
【０００４】
マルチディスプレイシステムにおいて各ディスプレイの調整をおこなう場合には、やはり操作ボタンやリモートコントローラーなどを使ってディスプレイを１台ずつ調整していくことになる。
【０００５】
しかし、リモートコントローラーなどの無線信号によって操作をおこなう場合には、リモートコントローラーから出力した無線信号が複数のディスプレイに入力されてしまい、複数のディスプレイが応答してしまうという不具合があった。このような問題を解決するために、ディスプレイごとに対応するリモートコントローラーを１対１に割り当てて他のディスプレイが応答しないようにする方法などが考えられてきた。
【０００６】
さらにマルチディスプレイシステムの制御をおこなうために専用の制御部を設けて、各ディスプレイの調整をおこなったり一度に全てのディスプレイの調整をおこなえるようにしたものもある（例えば、特許文献１参照。）。
【特許文献１】特開２００１−２７５１３７号公報
【発明の開示】
【発明が解決しようとする課題】
【０００７】
マルチディスプレイシステムにおいて各ディスプレイの調整をおこなうとき、各ディスプレイに備えられた操作ボタンにより操作をおこなうことを考えると、マルチディスプレイシステムでは縦方向や横方向などさまざまな位置関係にディスプレイを並べるため、操作ボタン自体が操作しづらい位置になったり、あるいは操作できない位置になってしまうなどの可能性がある。
【０００８】
またディスプレイと１対１に対応したリモートコントローラーにより操作する場合には、多くのリモートコントローラーを必要としてしまう。１台のリモートコントローラーで切り換えができるようにする方法もあるが、その場合はマルチディスプレイシステム専用のリモートコントローラーなどを準備しなければならない。
【０００９】
本発明は、上記の課題を解決しようとするものであり、マルチディスプレイシステムにおいて無線手段からの入力に対して複数のディスプレイが応答してしまうことを防ぎ、特別な装置などを用いることなくシステムの調整を容易におこなうことなどを可能とすることを目的とする。
【課題を解決するための手段】
【００１０】
上記目的を達成するための本発明の一実施形態の表示システムは、主表示装置と、１台以上の副表示装置と、前記主表示装置および前記副表示装置に対して無線信号により操作コマンドを発信する操作手段とからなる表示システムであって、前記副表示装置は前記操作手段から前記操作コマンドを受信したとき、前記主表示装置に対して、受信したコマンドコードを含む受信通知コマンドを送信し、前記主表示装置は、前記受信通知コマンドを受信した時点、または前記操作手段からの前記操作コマンドを受信した時点から一定時間の間に前記コマンドコードが同一の受信通知コマンドを受信した場合に、前記コマンドコードを受信した前記主表示装置または前記副表示装置のうちいずれか１台を前記操作コマンド有効に決定し、前記主表示装置を操作コマンド有効とした場合は前記主表示装置は前記操作コマンドに応じた処理を実行し前記受信通知コマンドを送信した前記副表示装置に対して操作無効コマンドを送信し、前記副表示装置を操作コマンド有効とした場合は前記主表示装置は前記操作コマンド有効とされた前記副表示装置に対して操作有効コマンドを送信し前記操作コマンド有効とされた前記副表示装置以外の前記副表示装置に対して操作無効コマンドを送信し、前記操作有効コマンドを受信した前記副表示は前記操作コマンドに応じた処理を実行する。
【００１１】
上記目的を達成するための本発明の一実施形態の表示システムは、制御装置と、主表示装置と、１台以上の副表示装置と、前記主表示装置および前記副表示装置に対して無線信号により操作コマンドを発信する操作手段とからなる表示システムであって、前記副表示装置は前記操作手段から前記操作コマンドを受信したとき、前記主表示装置に対して、受信したコマンドコードを含む受信通知コマンドを送信し、前記主表示装置は、前記受信通知コマンドを受信した時点、または前記操作手段からの前記操作コマンドを受信した時点から一定時間の間に前記コマンドコードが同一の受信通知コマンドを受信した場合に前記受信通知コマンドを無効とし、前記一定時間が経過したとき前記制御装置に対して前記コマンドコードを送信する。
【００１２】
上記目的を達成するための本発明の一実施形態の表示制御方法は、主表示装置と、１台以上の副表示装置と、前記主表示装置および前記副表示装置に対して無線信号により操作コマンドを発信する操作手段とからなる表示システムにおける表示制御方法であって、前記副表示装置は前記操作手段から前記操作コマンドを受信したとき、前記主表示装置に対して、受信したコマンドコードを含む受信通知コマンドを送信するステップと、前記主表示装置は、前記受信通知コマンドを受信した時点、または前記操作手段からの前記操作コマンドを受信した時点から一定時間の間に前記コマンドコードが同一の受信通知コマンドを受信した場合に、前記コマンドコードを受信した前記主表示装置または前記副表示装置のうちいずれか１台を前記操作コマンド有効に決定するステップと、前記主表示装置を操作コマンド有効とした場合は前記主表示装置は前記操作コマンドに応じた処理を実行するステップと、前記受信通知コマンドを送信した前記副表示装置に対して操作無効コマンドを送信するステップと、前記副表示装置を操作コマンド有効とした場合は前記主表示装置は前記操作コマンド有効とされた前記副表示装置に対して操作有効コマンドを送信するステップと、前記操作コマンド有効とされた前記副表示装置以外の前記副表示装置に対して操作無効コマンドを送信するステップと、前記操作有効コマンドを受信した前記副表示は前記操作コマンドに応じた処理を実行するステップを備える。
【００１３】
上記目的を達成するための本発明の一実施形態の表示制御方法は、制御装置と、主表示装置と、１台以上の副表示装置と、前記主表示装置および前記副表示装置に対して無線信号により操作コマンドを発信する操作手段とからなる表示システムにおける表示制御方法であって、前記副表示装置は前記操作手段から前記操作コマンドを受信したとき、前記主表示装置に対して、受信したコマンドコードを含む受信通知コマンドを送信するステップと、前記主表示装置は、前記受信通知コマンドを受信した時点、または前記操作手段からの前記操作コマンドを受信した時点から一定時間の間に前記コマンドコードが同一の受信通知コマンドを受信した場合に前記受信通知コマンドを無効とするステップと、前記一定時間が経過したとき前記制御装置に対して前記コマンドコードを送信するステップを備える。
【発明の効果】
【００１４】
本発明の表示システムでは、マルチディスプレイシステムにおいて無線手段からの入力信号を複数のディスプレイが受信したときに、同一の入力かどうかを判断する処理をおこなうことで入力を適切に制御して、意図しない複数回の入力が発生してしまうという問題を解決した。
【００１５】
そのため例えばマルチディスプレイシステムを構成したときに、専用のリモートコントローラーや特別な制御装置などを使用することなく、ディスプレイに付属する標準的なリモートコントローラーを使用して容易に各ディスプレイの調整を１台ずつおこなうことを可能とした。
【発明を実施するための最良の形態】
【００１６】
（第１の実施形態）
以下、本発明の実施の形態について説明する。
【００１７】
図１は、本発明の第１の実施の形態の構成の概要を表す図である。
【００１８】
ディスプレイ１、ディスプレイ２、ディスプレイ３は横方向に一列に配置されたマルチディスプレイ構成となっている。ディスプレイ１、ディスプレイ２、ディスプレイ３は信号発生部４とそれぞれ画像信号ケーブル６、画像信号ケーブル７、画像信号ケーブル８と接続されている。信号発生部４では映像信号を生成し各ディスプレイに対して映像信号を分配して出力する。各ディスプレイの画面上に信号発生部４が出力する画像が表示される。
【００１９】
また、信号発生部４とディスプレイ１はＵＳＢライン９で接続され、信号発生部４からディスプレイ１のさまざまな調整などの制御をおこなうことができるようになっている。ここでＵＳＢとは、ＵＳＢ  Ｉｍｐｌｅｍｅｎｔｅｒｓ  Ｆｏｒｕｍにより仕様が策定された、コンピュータなどのＵＳＢホストと周辺機器などのＵＳＢデバイスとの間の通信インターフェース規格である。同様にディスプレイ１とディスプレイ２がＵＳＢライン１０により接続され、ディスプレイ２とディスプレイ３がＵＳＢライン１１により接続されている。
【００２０】
各ディスプレイには、相互に通信をおこなうときに通信相手を指定するなどのため、ＩＤが割り当てられる。ＩＤの設定については、例えばディスプレイの設置を行う時などに各ディスプレイに備えられたディップスイッチなどにより設定する方法、各ディスプレイの調整メニューにより設定する方法、あるいはシステムの電源を立ち上げたときにディスプレイが接続している台数を検出して自動的にＩＤを割り当てる方法などがある。ここではディスプレイ１がＩＤ＝１、ディスプレイ２がＩＤ＝２、ディスプレイ３がＩＤ＝３に決定されているものとする。
【００２１】
次に、このシステムにおいては各ディスプレイの画質などを調整するためのリモートコントローラー５が備えられている。各ディスプレイにはリモートコントローラー５の無線信号の受信部が備えられており、各ディスプレイはユーザーがリモートコントローラーを操作してその無線信号を受信するとそのコマンドを解析し、ＩＤ＝１であるディスプレイ１に対してＵＳＢライン１０、ＵＳＢライン１１を介してコマンド受信通知をおこなう。
【００２２】
ここで、リモートコントローラー５のメニューボタンが押され、ディスプレイ１、ディスプレイ２、ディスプレイ３が同時にその無線信号を受信したものとする。
【００２３】
このとき、ＩＤ＝１であるディスプレイ１はシステム上の各ディスプレイのコマンド受信状態を管理して適切に扱うための処理をおこなう。ディスプレイ１が実行する処理のフローを図２に示し説明する。
【００２４】
Ｓ２０２でメニュー処理中であるかどうかを判定する。まずメニュー処理中でない場合は次にＳ２０３で、各ディスプレイにおいてメニューコマンド受信があったかどうかを示すフラグを設定する。ディスプレイ１自身はリモートコントローラー５からコマンドを受信したのでフラグをセットし、他のディスプレイすなわちディスプレイ２およびディスプレイ３のフラグをリセットする。
【００２５】
次にＳ２０４で、他のディスプレイからのメニューコマンド受信通知を一定時間の間待つためのタイマーをリセットし、Ｓ２０５で、一定時間が経過するまで他のディスプレイからメニューコマンド受信通知を待つ。
【００２６】
一方、ディスプレイ２およびディスプレイ３においてリモートコントローラー５からメニューコマンドを受信したときの処理のフローを図３に示し説明する。
【００２７】
Ｓ３０２でディスプレイ１に対してメニューコマンド受信通知を送信し、Ｓ３０３で処理を終了する。従って、ディスプレイ２およびディスプレイ３からディスプレイ１に対してメニューコマンド受信通知が送信される。
【００２８】
ディスプレイ１ではＳ２０５で、ディスプレイ２およびディスプレイ３から順次メニューコマンド受信通知があった時点でディスプレイ２およびディスプレイ３のフラグをそれぞれセットする。
【００２９】
なおここで他のディスプレイからのコマンド受信通知を待つ一定時間は、ディスプレイがリモートコントローラー５の無線信号を受信してからコマンドを解析するまでの時間、解析完了からコマンド受信通知を隣りのディスプレイに対して送出するまでの時間、隣りのディスプレイから受信したコマンド受信通知を次のディスプレイに対して送出するまでの時間などの遅れ時間の最大値を考慮して決める。
【００３０】
その後一定時間が経過したらＳ２０７で、ＩＤがｎ以上でフラグがセットされている最小のＩＤのディスプレイをメニュー有効と決定する。ここではディスプレイ１およびディスプレイ２およびディスプレイ３の全てのフラグがセットされており、またここで初期状態ではｎ＝１であるものとすると、ディスプレイ１がメニュー有効に決定される。ここではディスプレイ１自身がメニュー有効となったため、ディスプレイ１はメニュー処理を開始する。
【００３１】
次にＳ２０８でｎを１増加させる。従ってｎ＝２となる。次にＳ２０９で他のディスプレイすなわちディスプレイ２およびディスプレイ３に対してＵＳＢライン１０、ＵＳＢライン１１を介してメニュー無効の通知をおこなう。
【００３２】
メニュー無効通知を受信したディスプレイ２およびディスプレイ３がおこなう処理のフローを図５に示し説明する。
【００３３】
Ｓ５０２でリモートコントローラー５からのメニュー操作を禁止に設定する。従ってこれ以降にリモートコントローラー５から例えば上下左右の移動ボタンや決定ボタンなどのメニュー操作があっても、ディスプレイ２およびディスプレイ３においてはそれらの操作は無効となる。
【００３４】
一方ディスプレイ１においては、ディスプレイのコントラスト、明るさ、色温度などの画質調整、画像の表示位置、音声の調整などの各調整をおこなうためのメニュー画面を画面上に表示して、リモートコントローラー５により操作して各調整をおこなうことができる。
【００３５】
必要な各調整をおこなったのち、メニュー操作を終了したとき、ディスプレイ１は図６に示すメニュー終了処理を実行する。Ｓ６０２でメニュー画面を消去し、Ｓ６０３で他の全てのディスプレイに対してメニュー終了通知をおこなう。
【００３６】
一方メニュー終了通知を受信したディスプレイ、すなわちディスプレイ２およびディスプレイ３においては図７に示すメニュー終了通知受信処理を実行する。Ｓ７０２でメニュー操作の禁止を解除する。つまりこれ以降はリモートコントローラー５からのメニューコマンドの受信を受け付けるようになる。
【００３７】
その後、再びリモートコントローラー５のメニューボタンが押下され、ディスプレイ１、ディスプレイ２およびディスプレイ３がメニューコマンドを受信したとする。
【００３８】
上述したようにディスプレイ１は図２のメニューコマンド受信処理を開始する。Ｓ２０２でメニュー処理中であるかどうかを判定する。メニュー処理中でないからＳ２０３に進み、ディスプレイ１のメニューコマンド受信のフラグをセットし、ディスプレイ２およびディスプレイ３のフラグをリセットする。
【００３９】
次にＳ２０４で、時間待ちのタイマーをリセットし、Ｓ２０５で一定時間他のディスプレイからのメニューコマンド受信通知を待つ。
【００４０】
ディスプレイ２およびディスプレイ３においてはリモートコントローラー５からメニューコマンドを受信したとき図３に示したメニューコマンド受信処理を実行する。従ってＳ３０２でディスプレイ１に対してメニューコマンド受信通知を送信する。
【００４１】
ディスプレイ２およびディスプレイ３からディスプレイ１に対してメニューコマンド受信通知が送信され、ディスプレイ１ではＳ２０５において、ディスプレイ２およびディスプレイ３から順次メニューコマンド受信通知があった時点でディスプレイ２およびディスプレイ３のフラグをそれぞれセットする。
【００４２】
その後一定時間が経過したらＳ２０７でメニューを有効とするディスプレイを決定する。ここではｎ＝２となっているため、ディスプレイ２がメニュー有効に決定される。ディスプレイ１はディスプレイ２に対してメニュー有効通知をおこなう。
【００４３】
ディスプレイ２においては、メニュー有効通知を受信する。この時実行する処理のフローを図４に示し説明する。ディスプレイ２はＳ４０２においてメニュー処理を起動する。
【００４４】
一方ディスプレイ１は次にＳ２０８でｎを１増加させる。従ってｎ＝３となる。次にＳ２０９で他のディスプレイすなわちディスプレイ３に対してＵＳＢライン１０、ＵＳＢライン１１を介してメニュー無効の通知をおこなう。
【００４５】
ディスプレイ１自身およびメニュー無効通知を受信したディスプレイ３では図５に示すメニュー無効通知受信処理をおこなう。つまりＳ５０２でリモートコントローラー５からのメニュー操作を禁止に設定する。
【００４６】
ディスプレイ２においては各調整をおこなったのちメニュー操作を終了したとき、図６に示すメニュー終了処理を実行する。Ｓ６０２でメニュー画面を消去し、Ｓ６０３で他の全てのディスプレイに対してメニュー終了通知をおこなう。
【００４７】
一方メニュー終了通知を受信したディスプレイ、つまりディスプレイ１およびディスプレイ２においては図７に示すメニュー終了通知受信処理を実行する。Ｓ７０２でメニュー操作の禁止を解除する。つまりこれ以降はリモートコントローラー５からのメニューコマンドの受信を受け付けるようになる。
【００４８】
なお、この状態ではｎ＝３となっている。従って次にリモートコントローラー５からメニューコマンドが入力されると上述と同様の処理がおこなわれ、図２のＳ２０７においてディスプレイ３がメニュー有効とされる。そしてＳ２０８においてｎを更新するが、この例ではディスプレイは３台接続されたシステムでありＩＤ＝３までであるため、ｎ＝１に更新される。従って、リモートコントローラー５からメニュー操作がおこなわれるたびに、ディスプレイ１、ディスプレイ２、ディスプレイ３、そして再びディスプレイ１、という順番でメニュー処理が実行されることになる。
【００４９】
また本実施の形態においては、ディスプレイ１、ディスプレイ２、ディスプレイ３という順番でメニュー処理をおこなうことになるが、順番の設定についてはもちろんどのように設定してもよく、例えばディスプレイ３、ディスプレイ２、ディスプレイ１という逆順にしたり、特定のディスプレイだけを飛ばしてメニューを起動しないようにしたり、ユーザーがあらかじめ決めておくなど、さまざまな方法がある。
【００５０】
（第２の実施形態）
図８は、本発明の第２の実施の形態の構成の概要を表す図である。
【００５１】
ディスプレイ１２、ディスプレイ１３は横方向に並べて配置されたマルチディスプレイ構成となっている。ディスプレイ１２、ディスプレイ１３はパーソナルコンピューター１４とそれぞれ画像信号ケーブル１６、画像信号ケーブル１７と接続され各ディスプレイの画面上にパーソナルコンピューター１４が出力する画像が表示される。
【００５２】
またパーソナルコンピューター１４とディスプレイ１２はＵＳＢライン１８で接続されている。同様にディスプレイ１２とディスプレイ１３がＵＳＢライン１９により接続されている。
【００５３】
各ディスプレイには、相互に通信をおこなうときに個々を識別するためのＩＤが割り当てられる。ここではディスプレイ１がＩＤ＝１、ディスプレイ２がＩＤ＝２とされているものとする。
【００５４】
次にこのシステムにおいては指示器１５を備え、指示器１５のボタンを押下すると無線信号のキーコードを発信し、各ディスプレイに備えられた受信部により受信されるようになっている。ここでは指示器１５には、例えばページアップ、ページダウンボタンがあるものとする。
【００５５】
一方パーソナルコンピューター１４においては、会議などでプレゼンテーションをおこなうためのアプリケーションが起動しており、ディスプレイ１２およびディスプレイ１３にはプレゼンテーションの資料が表示されているものとする。このアプリケーションにおいては、ページアップの指示で前の資料の表示に切り換える動作、ページダウンの指示で次の資料の表示に切り換えるという動作をするようになっている。
【００５６】
そしてページアップ、ページダウンの指示は、パーソナルコンピューター１４に接続された図示しないキーボードのページアップ、ページダウンキー、または、ディスプレイ１２あるいはディスプレイ１３が指示器１５からページアップ、ページダウンを受信してＵＳＢライン１８を介してパーソナルコンピューター１４にキーコードを通知することでおこなわれる。
【００５７】
ここで、指示器１５のページアップボタンが押され、ディスプレイ１、ディスプレイ２が同時にその無線信号を受信したものとする。このとき、ＩＤ＝１であるディスプレイ１はシステム上の各ディスプレイのキーコード受信状態を管理し適切に扱うための処理をおこなう。この処理のフローを図９に示し説明する。
【００５８】
まずＳ９０２で、各ディスプレイにおいてページアップキーコードの受信があったかどうかを示すフラグを設定する。ディスプレイ１自身は指示器１５からキーコードを受信したのでフラグをセットし、他のディスプレイすなわちディスプレイ２のフラグはリセットする。
【００５９】
次にＳ９０３で、他のディスプレイからのキーコード受信通知を一定時間の間待つためのタイマーをリセットし、Ｓ９０４で、一定時間が経過するまで他のディスプレイからキーコード受信通知を待つ。
【００６０】
一方ディスプレイ２において指示器１５からキーコードを受信したときの処理のフローを図１０に示し説明する。
【００６１】
Ｓ１００２でディスプレイ１に対してキーコード受信通知を送信し、Ｓ１００３で処理を終了する。従って、ディスプレイ２からディスプレイ１に対してキーコード受信通知が送信される。
【００６２】
ディスプレイ１ではＳ９０４で、ディスプレイ２からキーコード受信通知があった時点でディスプレイ２のフラグをセットする。
【００６３】
その後一定時間が経過したらＳ９０６に進み、パーソナルコンピューター１４に対してページアップキーコードを送信する。パーソナルコンピューター１４においてはアプリケーションがページアップコマンドを受け取り、表示するページを切り換える処理をおこなう。
【００６４】
以上に説明したように、複数のディスプレイで指示器からのキーコードを同時に受信したときに、１回の操作として適切にパーソナルコンピューターに対してキーコードを送信することができる。
【図面の簡単な説明】
【００６５】
【図１】本発明の第１の実施形態の構成の概要を表す図である。
【図２】コマンド受信処理を説明する図である。
【図３】コマンド受信処理を説明する図である。
【図４】メニュー有効通知受信処理を説明する図である。
【図５】メニュー無効通知受信処理を説明する図である。
【図６】メニュー終了処理を説明する図である。
【図７】メニュー終了通知受信処理を説明する図である。
【図８】本発明の第２の実施形態の構成の概要を表す図である。
【図９】キーコード受信処理を説明する図である。
【図１０】キーコード受信処理を説明する図である。
【符号の説明】
【００６６】
１  ディスプレイ
２  ディスプレイ
３  ディスプレイ
４  信号発生器
５  リモートコントローラー
６  映像信号ライン
７  映像信号ライン
８  映像信号ライン
９  ＵＳＢライン
１０  ＵＳＢライン
１１  ＵＳＢライン
１２  ディスプレイ
１３  ディスプレイ
１４  パーソナルコンピューター
１５  指示器
１６  画像信号ライン
１７  画像信号ライン
１８  ＵＳＢライン
１９  ＵＳＢライン
【図１】
2006171092.tif 000003
【図２】
2006171092.tif 000004
【図３】
2006171092.tif 000005
【図４】
2006171092.tif 000006
【図５】
2006171092.tif 000007
【図６】
2006171092.tif 000008
【図７】
2006171092.tif 000009
【図８】
2006171092.tif 000010
【図９】
2006171092.tif 000011
【図１０】
2006171092.tif 000012